(57)【要約】【課題】面積の小さい表示部内で、多数の蛍光放出部を発光させることができる表示装置を提供すること。【解決手段】本発明の表示装置１は、波長の異なる複数種類の一次光を放出する複数種類の光源１０と、前記一次光を透過させる透過部２０及び前記一次光を吸収して二次光を放出する蛍光体が透過部２０に所定形状に配置されてなる蛍光放出部３０を前記蛍光体の種類に応じて複数種類有する蛍光表示部材５０と、を備え、蛍光放出部３０から放出された二次光が透過部２０の表面からなる表示部４０に表示され、表示部４０の表面に設定した任意の法線の法線方向に沿って前記蛍光放出部を表示部４０に投影してなる像を放出部投影像とし、かつこの放出部投影像を内包する最小面積の長方形に含まれる領域を投影像内領域と規定したとき、複数種類の蛍光放出部３０は複数個の前記投影像内領域同士が重なるように配置される。【選択図】図１
2016057568.tif 000002
【特許請求の範囲】
【請求項１】
波長の異なる複数種類の一次光を放出する複数種類の光源と、
前記一次光を透過させる透過部、及び前記一次光を吸収して前記一次光の発光ピークよりも長波長側に発光ピークを有する二次光を放出する蛍光体が前記透過部に所定形状に配置されてなる蛍光放出部を前記蛍光体の種類に応じて複数種類有する蛍光表示部材と、
を備え、
前記蛍光放出部から放出された二次光が前記透過部の表面の少なくとも一部からなる表示部に表示され、
前記表示部の表面に設定した任意の法線の法線方向に沿って前記蛍光放出部を前記表示部に投影してなる像を放出部投影像とし、かつこの放出部投影像を内包する最小面積の長方形に含まれる領域を投影像内領域と規定したとき、前記複数種類の蛍光放出部は複数個の前記投影像内領域同士が重なるように配置されることを特徴とする表示装置。
【請求項２】
前記複数種類の蛍光放出部は、それぞれ形状が異なることを特徴とする請求項１に記載の表示装置。
【請求項３】
前記複数種類の蛍光放出部は、それぞれ前記蛍光体の種類が異なることを特徴とする請求項１又は２に記載の表示装置。
【請求項４】
前記複数種類の蛍光放出部は、それぞれ異なる色調の二次光を放出することを特徴とする請求項３に記載の表示装置。
【請求項５】
前記複数種類の蛍光放出部は、前記表示部である前記透過部の表面、又は前記透過部の内部に平面的に形成されたことを特徴とする請求項１に記載の表示装置。
【請求項６】
前記複数種類の蛍光放出部は、前記表示部である前記透過部の表面、又は前記透過部の内部に三次元的に形成されたことを特徴とする請求項１乃至５のいずれか１項に記載の表示装置。
【請求項７】
前記透過部は、入射する光を拡散することを特徴とする請求項１乃至６のいずれか１項に記載の表示装置。
【請求項８】
前記透過部は、光を拡散する拡散材をさらに含むことを特徴とする請求項７に記載の表示装置。
【請求項９】
前記光源は、前記透過部の背面側に配置されることを特徴とする請求項１乃至８のいずれか１項に記載の表示装置。
【請求項１０】
前記光源は、前記透過部の側面側に配置されることを特徴とする請求項１乃至８のいずれか１項に記載の表示装置。
【請求項１１】
前記蛍光放出部は、前記蛍光表示部材の透過部に着脱可能に設けられたことを特徴とする請求項１乃至１０のいずれか１項に記載の表示装置。
【請求項１２】
前記光源は、３つの波長の異なる一次光を放出する３種類の光源を有することを特徴とする請求項１乃至１１のいずれか１項に記載の表示装置。
【請求項１３】
前記光源は、３００〜４１０ｎｍの中から３つの波長の異なる一次光を放出する３種類の光源を有することを特徴とする請求項１２に記載の表示装置。
【発明の詳細な説明】
【技術分野】
【０００１】
本発明は、表示装置に関する。詳細には、本発明は、光源から放出された一次光を吸収して蛍光体が二次光を所定形状で放出する表示装置に関する。
【背景技術】
【０００２】
近年、発光ダイオード等の一次光を放出する光源と、自動車のダッシュボード等に設けられ、一次光を吸収して二次光を放出する蛍光体が所定形状に配置された蛍光放出部と、を用い、蛍光放出部を発光させる技術が提案されている。
【０００３】
例えば、特許文献１には、複数個の発光ダイオードと、複数個の蛍光放出部が配置された表示部とを有する表示装置が開示されている。特許文献１に開示された表示装置で、波長の異なる一次光を放出する複数種類の発光ダイオードと、発光特性の異なる蛍光体を用いた複数種類の蛍光放出部とを用いると、発光ダイオードの発光に応じて特定の蛍光放出部を発光させることができる。
【先行技術文献】
【特許文献】
【０００４】
【特許文献１】米国特許出願公開第２００２／０１８６５５６号明細書
【特許文献２】特開２０１２−２３８０３５号公報
【特許文献３】特開２００６−１６３３２５号公報
【特許文献４】特開２０００−１９４９９２号公報
【特許文献５】登録実用新案第３０４６８９７号公報
【特許文献６】特開２００８−１５２３４６号公報
【発明の概要】
【発明が解決しようとする課題】
【０００５】
しかしながら、特許文献１の表示装置は、表示面に複数個の蛍光放出部が並列配置されているため、蛍光放出部の数が増えるにつれて表示部の使用面積が大きくなる。このため、特許文献１の表示装置では、スペースの少ないダッシュボードに多種類の蛍光放出部を設けることが困難であるという問題があった。
【０００６】
本発明は、このような従来技術の有する課題に鑑みてなされたものである。本発明は、複数種類の光源から放出される一次光により複数種類の蛍光放出部を発光させる表示装置において、面積の小さい表示部内で、多数の蛍光放出部を発光させることができる表示装置を提供することを目的とする。
【課題を解決するための手段】
【０００７】
上記課題を解決するために、本発明の表示装置は、波長の異なる複数種類の一次光を放出する複数種類の光源と、前記一次光を透過させる透過部、及び前記一次光を吸収して前記一次光の発光ピークよりも長波長側に発光ピークを有する二次光を放出する蛍光体が前記透過部に所定形状に配置されてなる蛍光放出部を前記蛍光体の種類に応じて複数種類有する蛍光表示部材と、を備え、前記蛍光放出部から放出された二次光が前記透過部の表面の少なくとも一部からなる表示部に表示され、前記表示部の表面に設定した任意の法線の法線方向に沿って前記蛍光放出部を前記表示部に投影してなる像を放出部投影像とし、かつこの放出部投影像を内包する最小面積の長方形に含まれる領域を投影像内領域と規定したとき、前記複数種類の蛍光放出部は複数個の前記投影像内領域同士が重なるように配置されることを特徴とする。
【発明の効果】
【０００８】
本発明の表示装置は、面積の小さい表示部内で、多数の蛍光放出部を発光させることができる表示装置を提供することが可能となる。
【図面の簡単な説明】
【０００９】
【図１】本発明の第１の実施形態に係る表示装置の概略図である。
【図２】図１の表示装置を図１中のＸ方向からみた側面図である。
【図３】第１の実施形態に係る表示装置の複数個の蛍光放出部の位置関係を説明する図である。図３（Ａ）は、蛍光放出部の投影像内領域が重複していることを示す図であり、図３（Ｂ）及び（Ｃ）は、各蛍光放出部の投影像内領域を説明する図である。
【図４】本発明の第１の実施形態に係る表示装置の作用を説明する図である。図４（Ａ）は光源１０が点灯されていない状態、図４（Ｂ）は光源１０ａを点灯した状態、図４（Ｃ）は光源１０ｂが点灯された状態をそれぞれ示す図である。
【図５】本発明の第２の実施形態に係る表示装置とこの表示装置に含まれる複数個の蛍光放出部の位置関係を説明する図である。図５（Ａ）は、蛍光放出部の投影像内領域が重複していることを示す図であり、図５（Ｂ）、（Ｃ）及び（Ｄ）は、各蛍光放出部の投影像内領域を説明する図である。
【図６】本発明の第２の実施形態に係る表示装置の作用を説明する図である。図６（Ａ）は光源１０が点灯されていない状態、図６（Ｂ）は光源１０ａが点灯された状態、図６（Ｃ）は光源１０ｂが点灯された状態をそれぞれ示す図である。
【図７】本発明の第３の実施形態に係る表示装置及びその作用を説明する図である。図７（Ａ）は光源１０が点灯されていない状態、図７（Ｂ）は光源１０ａが点灯された状態、図７（Ｃ）は光源１０ｂが点灯された状態、図７（Ｄ）は光源１０ｃが点灯された状態をそれぞれ示す図である。
【図８】本発明の第４の実施形態に係る表示装置の概略図である。
【図９】本発明の第５の実施形態に係る表示装置の概略図である。
【図１０】本発明の第６の実施形態に係る表示装置の概略図である。
【図１１】本発明の第６の実施形態に係る表示装置の構造を示す概略図である。
【図１２】本発明の第７の実施形態に係る表示装置の概略図である。
【図１３】本発明の第７の実施形態に係る表示装置の蛍光表示部材の概略図である。図１３（Ａ）は、蛍光表示部材の表示部側を示す図であり、図１３（Ｂ）は、蛍光表示部材の背面側を示す図である。
【図１４】本発明の第８の実施形態に係る表示装置の蛍光表示部材の概略図である。図１４（Ａ）は、蛍光表示部材の表示部側を示す図であり、図１４（Ｂ）は、蛍光表示部材の背面側を示す図である。
【図１５】本発明の第９の実施形態に係る表示装置の概略図である。
【図１６】本発明の第１０の実施形態に係る表示装置の概略図である。
【図１７】本発明の第１１の実施形態に係る表示装置の概略図である。
【図１８】本発明の第１２の実施形態に係る表示装置の概略図である。
【図１９】図１８の表示装置を図１８中のＸ方向からみた側面図である。
【発明を実施するための形態】
【００１０】
以下、本実施形態に係る表示装置１について図面を参照して詳細に説明する。なお、図面の寸法比率は説明の都合上誇張されており、実際の比率とは異なる場合がある。
【００１１】
［表示装置］
（第１の実施形態）
図１は、第１の実施形態に係る表示装置１Ａの概略図である。図２は、図１をＸ方向からみた側面図である。なお、図２では、蛍光放出部３０ａ及び３０ｂの厚さを強調して示している。第１の実施形態に係る表示装置１Ａは、一次光を放出する複数種類の光源１０と、一次光を透過させる透過部２０Ａ及び二次光を放出する蛍光放出部３０を複数種類有する蛍光表示部材５０Ａとを備える。また、表示装置１Ａは、蛍光表示部材５０Ａの蛍光放出部３０から放出された二次光が蛍光表示部材５０Ａの表面に形成された表示部２５に表示されるようになっている。表示装置１Ａにおいて、光源１０は一次光を放出する部材であり、蛍光表示部材５０Ａは一次光を吸収して所定形状の二次光を表示する部材である。
【００１２】
＜光源＞
光源１０は、波長の異なる複数種類の一次光を放出する複数種類の光源からなる。具体的には、光源１０は、波長の異なる一次光を放出する２種類の光源１０ａ及び１０ｂからなる。なお、図１は、光源１０ａ及び１０ｂが１個ずつ配置された一例を示すものであり、実際には光源１０ａ及び１０ｂはそれぞれ複数個配置されていてもよい。
【００１３】
光源１０ａ及び１０ｂとしては、例えば、発光ダイオード（ＬＥＤ）、レーザーダイオード、キセノンランプ、紫外線ランプが用いられる。光源１０ａ及び１０ｂは、波長の異なる一次光を放出するものである限り、発光素子の種類は限定されない。しかし、発光ダイオード（ＬＥＤ）やレーザーダイオードは機械的な衝撃に対して耐久性が高いため、これらを用いると機械的な衝撃に対する耐久性が優れた表示装置１Ａが得られる。
【００１４】
光源１０ａ及び１０ｂとしては、例えば、２８０〜３２０ｎｍ、３４５〜３８４ｎｍ、３８５〜４２５ｎｍ、及び４２６〜４７０ｎｍのそれぞれの波長領域に発光ピーク波長を有する一次光を放出する光源から選ぶことが好ましい。以下、２８０〜３２０ｎｍの波長領域を第１の波長領域、３４５〜３８４ｎｍの波長領域を第２の波長領域、３８５〜４２５ｎｍの波長領域を第３の波長領域、及び４２６〜４７０ｎｍの波長領域を第４の波長領域ともいう。
【００１５】
また、光源１０ａ及び１０ｂは、上記第１〜第４の波長領域のうちの２種類の波長領域に発光ピーク波長を有する一次光を放出する２種類の光源を選ぶことが好ましい。例えば、光源１０ａ及び１０ｂとして、それぞれ、第２及び第３の波長領域に発光ピーク波長を有する一次光を放出する２種類の光源を用いることが好ましい。
【００１６】
さらに、光源を２種類選ぶ場合、第１〜第３の波長領域のうちの２種類の波長領域に発光ピーク波長を有する一次光を放出する２種類の光源として選んだものであることがより好ましい。第１〜第３の波長領域に発光ピーク波長を有する一次光で励起される蛍光体は蛍光体自体が白色のものが多いため、上記光源と白色の蛍光体とを用いると非発光時の表示部２５を白地の表示にすることができる。
【００１７】
２８０〜３２０ｎｍの波長領域（第１の波長領域）に発光ピーク波長を有する一次光を放出する光源としては、例えば、公知のＬＥＤ、レーザーダイオード、キセノンランプ、紫外線ランプが用いられる。３４５〜３８４ｎｍの波長領域（第２の波長領域）に発光ピーク波長を有する一次光を放出する光源としては、例えば、公知のＬＥＤ、レーザーダイオードが用いられる。３８５〜４２５ｎｍの波長領域（第３の波長領域）に発光ピーク波長を有する一次光を放出する光源としては、例えば、公知のＬＥＤ、レーザーダイオードが用いられる。４２６〜４７０ｎｍの波長領域（第４の波長領域）に発光ピーク波長を有する一次光を放出する光源としては、例えば、公知のＬＥＤ、レーザーダイオードが用いられる。
【００１８】
＜蛍光表示部材＞
蛍光表示部材５０Ａは、一次光を透過させる透過部２０Ａと、前記一次光を吸収して二次光を放出する蛍光体が透過部２０Ａに所定形状に配置されてなる蛍光放出部３０を前記蛍光体の種類に応じて複数種類有する。ここで、「蛍光体の種類に応じて」とは、通常、「蛍光体の種類毎に」という意味である。すなわち、蛍光体を２種類用いる場合、通常、１種類の蛍光体を含む蛍光放出部３０が２種類作製される。蛍光表示部材５０Ａでは、蛍光放出部３０として、蛍光放出部３０ａ及び３０ｂの２種類が作製される。
【００１９】
［透過部］
透過部２０Ａは、光源１０から放出された一次光を透過させることにより、一次光を蛍光放出部３０に導く部材である。図１及び２に示すように、透過部２０Ａは、前面２５、背面２３、及び４個の側面２２を有する直方体状の透過部本体２１Ａからなる。
【００２０】
透過部本体２１Ａは、一次光が透過可能な透過材料からなる。透過材料としては、例えば、ガラスや、透光性を有する樹脂材料が用いられる。透光性を有する樹脂材料としては、例えば、アクリル樹脂、シリコーン樹脂、フッ素樹脂、シリコーン・エポキシのハイブリッド樹脂、ユリア樹脂等が用いられる。これらのガラスや透光性を有する樹脂材料は、光の透過性が高いため、蛍光放出部３０に一次光１５を十分に供給することができ、蛍光放出部３０の発光表示がクリアになる。
【００２１】
透過部２０Ａでは、透過部本体２１Ａの４個の側面２２のうちの一側面２２ａが一次光を導入可能であるとともに光源１０に対向するように配置されている。すなわち、光源１０は、透過部２０Ａの側面２２側に配置される。また、透過部２０Ａの透過部本体２１Ａの前面２５の表面には、蛍光放出部３０ａ及び３０ｂが形成される。
【００２２】
透過部本体２１Ａは、側面２２ａから導入された一次光１５が前面２５に導光される導光板になっている。ここで、透過部本体２１Ａを導光板とする手段としては、公知の方法を用いることができる。この公知の方法としては、例えば、透過部本体２１Ａの背面２３に、複数個の反射ドットを設ける方法が用いられる。
【００２３】
透過部２０Ａがこのような構造であることにより、蛍光表示部材５０Ａは、光源１０から放出され側面２２ａから導入された一次光１５が、前面２５の表面に形成された蛍光放出部３０に導光され、蛍光放出部３０から二次光３５が放出されるようになっている。なお、表示装置１Ａでは、透過部２０Ａの表面の一部からなる前面２５が、蛍光放出部３０から放出された二次光３５が表示される表示部４０になっている。
【００２４】
［蛍光放出部］
蛍光放出部３０は、一次光１５を吸収して一次光１５の発光ピークよりも長波長側に発光ピークを有する二次光３５を放出する蛍光体が透過部２０Ａに所定形状に配置されてなるものであり、前記蛍光体の種類に応じて複数種類形成される。蛍光表示部材５０Ａでは、透過部２０Ａの前面２５の表面に、蛍光放出部３０として２種類の蛍光放出部３０ａ及び３０ｂが形成される。具体的には、蛍光放出部３０ａ及び３０ｂは、表示部４０である透過部２０Ａの前面２５に平面的に形成されている。ここで、表示部４０とは、蛍光表示部材５０Ａの表面のうち、蛍光放出部３０ａ及び３０ｂから放出された二次光３５を蛍光表示部材５０Ａの外部から観察可能な部分を意味する。表示部４０は、透過部２０Ａの表面の少なくとも一部からなる。表示部４０は、透過部２０Ａの前面２５以外の表面に形成したり、透過部２０Ａの全表面に形成したりしてもよい。
【００２５】
蛍光放出部３０ａ及び３０ｂは、透過部２０Ａに蛍光体が所定形状に配置されることにより形成される。具体的には、蛍光放出部３０は、透過部２０Ａの前面２５上に所定形状に配置された蛍光体粉末とこの蛍光体粉末を封止する封止樹脂とからなる蛍光体含有部材からなる。蛍光放出部３０を構成する蛍光体の具体的な種類については後述する。蛍光放出部３０の形成に用いられる封止樹脂としては、例えば、透過部２０Ａを構成する透過材料と同じものが用いられる。なお、蛍光放出部３０ａ及び３０ｂは、蛍光体粉末の粒径が小さくかつ封止樹脂の使用量も少ないため、透過部２０Ａの表面に実質的に平面的に形成されている。蛍光放出部３０ａ及び３０ｂは、例えば、透過部２０Ａの表面に蛍光体粉末及び封止樹脂の混合物が塗布され、乾燥させることにより形成される。
【００２６】
蛍光放出部３０ａ及び３０ｂは、蛍光放出部３０を構成する蛍光体の種類が異なる。すなわち、蛍光放出部３０ａは光源１０ａから放出された一次光１５ａを吸収して所定形状の二次光を放出する蛍光体で作製され、蛍光放出部３０ｂは光源１０ｂから放出された一次光１５ｂを吸収して所定形状の二次光を放出する蛍光体で作製される。
【００２７】
また、蛍光放出部３０ａ及び３０ｂは、異なる色調の二次光を放出するようになっている。具体的には、蛍光放出部３０ａは光源１０ａから放出された一次光１５ａを吸収して青色の二次光を放出し、蛍光放出部３０ｂは光源１０ｂから放出された一次光１５ｂを吸収して赤色の二次光を放出するようになっている。なお、蛍光放出部３０ａが青色の二次光を放出し、蛍光放出部３０ｂが赤色の二次光を放出するのは、一例であり、蛍光体の種類を選ぶことにより、青緑色、緑色、黄色等の他の色の二次光を放出させることが可能である。また、蛍光放出部３０ａと蛍光放出部３０ｂとに用いられる蛍光体の種類を選択することにより、蛍光放出部３０ａと蛍光放出部３０ｂとが同じ色調の二次光を放出させるようにすることも可能である。例えば、蛍光放出部３０ａが光源１０ａから放出された一次光１５ａを吸収して青色の二次光を放出し、蛍光放出部３０ｂが光源１０ｂから放出された一次光１５ｂを吸収して青色の二次光を放出するようにすることも可能である。
【００２８】
さらに、蛍光放出部３０ａ及び３０ｂは、形状が異なる。蛍光放出部３０ａは平面的なリング状であり、蛍光放出部３０ｂは平面的なＸ状に形成される。すなわち、蛍光放出部３０ａ及び３０ｂは、表示部４０である透過部２０Ａの表面に平面的に形成されたものになっている。なお、蛍光放出部３０ａが平面的なリング状であり、蛍光放出部３０ｂが平面的なＸ状であるのは、一例であり、他の形状にすることが可能である。
【００２９】
上記構成からなる表示装置１Ａは、光源１０ａ又は１０ｂの点灯の選択により、蛍光放出部３０ａの青色のリング状又は蛍光放出部３０ｂの赤色のＸ状の二次光の表示を、透過部２０Ａの前面２５からなる表示部４０に表示できるようになっている。
【００３０】
（蛍光放出部の配置）
表示装置１Ａにおいて、蛍光放出部３０ａ及び３０ｂは、透過部２０Ａの前面２５に重なるように配置される。なお、蛍光放出部３０ａ及び３０ｂが重なるように配置されるのは一例であり、蛍光放出部３０ａ及び３０ｂが重ならないように配置されていてもよい。例えば、蛍光放出部３０ｂを縦横がそれぞれ半分以下になるように縮小した小さなＸ状の蛍光放出部を、蛍光放出部３０ａのリング状の内周の内側に配置することにより、蛍光放出部３０同士が重ならないようにしてもよい。ただし、表示装置は、蛍光放出部同士が横並びに配置される態様は含まない。このように、表示装置は、蛍光放出部３０の配置の位置関係が特定の条件で設定されている。以下、蛍光放出部３０の配置の位置関係について説明する。
【００３１】
表示装置における複数個の蛍光放出部の配置について、表示装置１Ａを例として図面を参照して説明する。図３は、表示装置１Ａの複数個の蛍光放出部３０の位置関係を説明する図である。図３（Ａ）は、蛍光放出部３０の投影像内領域Ｐが重複していることを示す図であり、図３（Ｂ）及び（Ｃ）は、各蛍光放出部３０の投影像内領域Ｐを説明する図である。
【００３２】
蛍光放出部の配置においては、はじめに、図３に示すように、表示部４０の表面に設定した任意の法線の法線方向に沿って複数種類の蛍光放出部３０（３０ａ、３０ｂ）を表示部４０に投影してなる像を仮想的に又は現実に作成する。この仮想的に又は現実に作成され、投影してなる像を、放出部投影像３１（３１ａ、３１ｂ）と規定する。なお、表示装置１Ａの蛍光放出部３０ａ及び３０ｂは、表示部４０である透過部２０Ａの前面２５に平面的に形成されている。このため、蛍光放出部３０ａ及び３０ｂを表示部４０に投影してなる像である放出部投影像３１ａ及び３１ｂは、蛍光放出部３０ａ及び３０ｂと同視できる。このため、表示装置１Ａでは、蛍光放出部３０ａ及び３０ｂと、放出部投影像３１ａ及び３１ｂとは、実質的に同じである。
【００３３】
次に、表示部４０内でこの放出部投影像３１（３１ａ、３１ｂ）を内包する最小面積の長方形３３（３３ａ、３３ｂ）を仮想的に又は現実に作成し、この長方形３３（３３ａ、３３ｂ）に含まれる領域を投影像内領域Ｐ（Ｐａ、Ｐｂ）と規定する。表示装置１Ａにおいて、複数種類の蛍光放出部３０（３０ａ、３０ｂ）は、複数個の投影像内領域Ｐ（Ｐａ、Ｐｂ）同士が重なるように配置される。図３（Ａ）より、投影像内領域Ｐａと投影像内領域Ｐｂとは投影像内領域Ｐｂにおいて重なっていることが分かる。
【００３４】
このような、複数種類の蛍光放出部３０が、複数個の投影像内領域Ｐ同士が重なるように配置される点は、第１の実施形態に係る表示装置１Ａのみならず、後述する第２の実施形態に係る表示装置１Ｂ以下の実施形態に係る表示装置において共通する。
【００３５】
（蛍光放出部に用いられる蛍光体）
複数種類の蛍光放出部３０ａ、３０ｂを構成する蛍光体としては、光源１０ａ及び１０ｂから放出された一次光１５ａ及び１５ｂをそれぞれ励起光とする２種類の蛍光体が用いられる。上記のように表示装置１Ａでは、光源１０ａの点灯により蛍光放出部３０ａが青色に発光し、かつ光源１０ｂの点灯により蛍光放出部３０ｂが赤色に発光するようになっている。しかし、表示装置１Ａでは、光源１０の種類及び蛍光放出部３０を構成する蛍光体の種類の選択により、蛍光放出部３０を青緑色、緑色、黄色等の他の色で発光させることが可能である。選択可能な蛍光体の例を以下に示す。
【００３６】
蛍光放出部３０を構成する蛍光体としては、例えば、上記第１、第２、第３又は第４の波長領域内の波長の光のみで励起される蛍光体が用いられる。ここで、特定の波長領域内の波長の光のみで励起されるとは、特定の波長領域以外の波長の光では蛍光表示が可能なほどに蛍光体が励起されないことを意味する。なお、第１、第２、第３又は第４の波長領域内の波長の光のみで励起される蛍光体は、それぞれ、第１、第２、第３又は第４の波長領域内に発光ピーク波長を有する一次光を放出する光源の一次光で励起されるものである。
【００３７】
第１の波長領域（２８０〜３２０ｎｍ）内の波長の光のみで励起される蛍光体としては、例えば、緑色発光するＬａＰＯ４：Ｃｅ３＋，Ｔｂ３＋（励起波長３００ｎｍ、発光波長５４３ｎｍ）、赤色発光するＹＶＯ４：Ｅｕ３＋（励起波長３１０ｎｍ、発光波長６１９ｎｍ）が用いられる。
【００３８】
第２の波長領域（３４５〜３８４ｎｍ）内の波長の光のみで励起される蛍光体としては、例えば、黄色発光するＹ２Ｏ３：Ｄｙ３＋，Ｔｂ３＋（励起波長３５０ｎｍ、発光波長５７３ｎｍ）が用いられる。また、第２の波長領域内の波長の光のみで励起される蛍光体としては、例えば、赤色発光するＹ２Ｏ２Ｓ：Ｅｕ３＋（励起波長３６５ｎｍ）が用いられる。また、第２の波長領域内の波長の光のみで励起される蛍光体としては、例えば、青色発光するＧｄ２ＳｉＯ５：Ｃｅ３＋（励起波長３６５ｎｍ）が用いられる。また、第２の波長領域内の波長の光のみで励起される蛍光体としては、例えば、緑色発光するＹ２ＳｉＯ５：Ｃｅ３＋，Ｔｂ３＋（励起波長３６５ｎｍ）及びＹＢＯ３：Ｃｅ３＋，Ｔｂ３＋（励起波長３６５ｎｍ）が用いられる。また、第２の波長領域内の波長の光のみで励起される蛍光体としては、例えば、公知のＥｕ３＋，Ｃｅ３＋付活蛍光体が用いられる。
【００３９】
第３の波長領域（３８５〜４２５ｎｍ）内の波長の光のみで励起される蛍光体としては、例えば、赤色発光するＣａＴｉＯ３：Ｅｕ３＋（励起波長４０５ｎｍ）及びＹ２Ｏ２Ｓ：Ｓｍ３＋，Ｔｂ３＋（励起波長４０７ｎｍ、発光波長６０８ｎｍ）が用いられる。また、同蛍光体としては、例えば、赤色発光する公知のＥｕ３＋付活蛍光体が用いられる。また、同蛍光体としては、例えば、青色発光するＳｒＧａ２Ｓ４：Ｃｅ３＋（励起波長４０５ｎｍ）が用いられる。また、同蛍光体としては、例えば、青緑色発光するＳｒ３ＧａＯ４Ｆ：Ｃｅ３＋（励起波長４０５ｎｍ）が用いられる。また、同蛍光体としては、例えば、公知のＣｅ３＋付活蛍光体が用いられる。
【００４０】
第４の波長領域（４２６〜４７０ｎｍ）内の波長の光のみで励起される蛍光体としては、例えば、赤色発光するＹ３Ｍｇ２ＡｌＳｉ２Ｏ１２：Ｃｅ３＋（励起波長４５０ｎｍ）が用いられる。また、同蛍光体としては、例えば、緑色発光するＣａ３Ｓｃ２Ｓｉ３Ｏ１２：Ｃｅ３＋（励起波長４５０ｎｍ）及びＣａＳｃ２Ｏ４：Ｃｅ３＋（励起波長４５０ｎｍ）が用いられる。また、同蛍光体としては、例えば、公知のＣｅ３＋付活蛍光体が用いられる。
【００４１】
なお、蛍光体を２種類選ぶ場合、第１〜第３の波長領域のうちの２種類の波長領域内の波長の光のみで励起される蛍光体を用いることが好ましい。第１〜第３の波長領域内の波長の光のみで励起される蛍光体は白色のものが多いため、これらの蛍光体を用いると非発光時の表示部２５を白地の表示にすることができる。
【００４２】
蛍光体の選定に当たっては、蛍光体のうち少なくとも１種はＣｅ３＋を発光中心とする蛍光体（Ｃｅ３＋付活蛍光体）であることが好ましい。Ｃｅ３＋は、吸収した光を幅の広い分光分布を持つ長波長の光に変換する。Ｃｅ３＋付活蛍光体は、付活される母体の種類によって励起波長及び発光波長を制御できるため、励起波長、すなわち光源１０の選択範囲を広げることができる。
【００４３】
蛍光体の選定に当たっては、蛍光体のうち少なくとも１種はＣｅ３＋とＴｂ３＋を発光中心とする蛍光体（Ｃｅ３＋,Ｔｂ３＋付活蛍光体）であることが好ましい。Ｔｂ３＋は、吸収した光を複数の輝線からなる長波長の光に変換する。また、Ｃｅ３＋とＴｂ３＋の両方を付活した蛍光体では、エネルギー伝達と呼ばれるメカニズムによって、Ｃｅ３＋が吸収したエネルギーの少なくとも一部がＴｂ３＋へ移動する。このＣｅ３＋からＴｂ３＋へのエネルギー伝達で、Ｔｂ３＋に電子エネルギー遷移が生じることにより、Ｃｅ３＋,Ｔｂ３＋付活蛍光体は、Ｔｂ３＋に起因する線状の緑色輝線を放射することが可能になる。
【００４４】
蛍光体の選定に当たっては、蛍光体のうち少なくとも１種はＥｕ３＋を発光中心とする蛍光体（Ｅｕ３＋付活蛍光体）であることが好ましい。Ｅｕ３＋は、吸収した光を複数の輝線からなる長波長の光に変換する。Ｅｕ３＋付活蛍光体は、複数の線状の励起スペクトルを利用することにより対応する励起光源以外の光源によって励起されることが少なくなるため、Ｅｕ３＋付活蛍光体とともに用いる他の蛍光体の幅広い選択が可能になる。
【００４５】
＜作用＞
図面を参照して表示装置１Ａの作用を説明する。図４は、表示装置１Ａの作用を説明する図である。図４（Ａ）は光源１０が点灯されていない状態、図４（Ｂ）は光源１０ａが点灯された状態、図４（Ｃ）は光源１０ｂが点灯された状態をそれぞれ示す図である。
【００４６】
図４（Ａ）に示すように、光源１０が点灯されていない状態では、蛍光放出部３０ａ及び３０ｂはいずれも発光しないため、表示部４０には透過部２０Ａによる無色透明の背景中に蛍光放出部３０ａ及び３０ｂの形状がかすかに見えるだけである。
【００４７】
これに対し、図４（Ｂ）に示すように光源１０ａが点灯されて光源１０ａから一次光１５ａが放出されると、一次光１５ａを吸収した蛍光放出部３０ａが発光する。このため、表示部４０には透過部２０Ａによる無色透明の背景中に青色のリング状の蛍光表示像３６ａが表示される。
【００４８】
また、図４（Ｃ）に示すように光源１０ｂが点灯されて光源１０ｂから一次光１５ｂが放出されると、一次光１５ｂを吸収した蛍光放出部３０ｂが発光する。このため、表示部４０には透過部２０Ａによる無色透明の背景中に赤色のＸ状の蛍光表示像３６ｂが表示される。
【００４９】
このように、表示装置１Ａは、光源１０の点灯を切り替えることで、同一表示部４０内に形状と色の異なる蛍光表示像３６の表示が可能である。具体的には、表示部４０内に、青色のリング状の蛍光表示像３６ａと、赤色のＸ状の蛍光表示像３６ｂとを表示させることができる。
【００５０】
なお、表示装置１Ａは、光源１０が透過部２０Ａの側面２２ａ（２２）側に配置されるため、一次光１５が表示部４０を介して視認者側に漏れにくくなる。また、表示装置１Ａは、光源１０が透過部２０Ａの側面２２ａ（２２）側に配置されるため、表示装置１Ａの奥行を小さくすることができる。
【００５１】
（第２の実施形態）
図５は、第２の実施形態に係る表示装置１Ｂとこの表示装置１Ｂに含まれる複数個の蛍光放出部の位置関係を説明する図である。図５（Ａ）は、蛍光放出部の投影像内領域が重複していることを示す図であり、図５（Ｂ）、（Ｃ）及び（Ｄ）は、各蛍光放出部の投影像内領域を説明する図である。
【００５２】
第２の実施形態に係る表示装置１Ｂは、図１に示す第１の実施形態に係る表示装置１Ａにおいて、蛍光放出部３０ａ及び３０ｂを含む蛍光表示部材５０Ａに代えて、ローマ字からなる蛍光放出部３０ｄ及び３０ｅを含む蛍光表示部材５０Ｂを用いたものである。表示装置１Ｂは蛍光放出部３０ｄ及び３０ｅ以外は表示装置１Ａと同じであるため、両者の同じ部材に同じ符号を付し、適宜構成及び作用の説明を省略する。
【００５３】
蛍光放出部３０ｄは、光源１０ａから放出された一次光１５ａを吸収して青色の二次光を放出する蛍光体と封止樹脂とを用いて「ＢＬＵＥ」という形状に平面的に形成される。また、蛍光放出部３０ｅは、光源１０ｂから放出された一次光１５ｂを吸収して赤色の二次光を放出する蛍光体と封止樹脂とを用いて「ＲＥＤ」という形状に平面的に形成される。透過部２０Ａの前面２５において蛍光放出部３０ｅは蛍光放出部３０ｄの上に形成される。
【００５４】
上記構成からなる表示装置１Ｂは、光源１０ａ又は１０ｂの点灯の選択により、蛍光放出部３０ｄの青色の「ＢＬＵＥ」又は蛍光放出部３０ｅの赤色の「ＲＥＤ」の二次光の表示を、透過部２０Ａの前面２５からなる表示部４０に表示できるようになっている。
【００５５】
表示装置１Ｂにおける蛍光放出部３０ｄ及び３０ｅの配置について、図５を参照して説明する。
【００５６】
図５（Ａ）に示すように、蛍光放出部３０ｄ及び３０ｅは、蛍光放出部３０ｄ及び３０ｅを表示部４０の法線方向に沿って表示部４０に投影してなる放出部投影像３１ｄ及び３１ｅから作成される投影像内領域Ｐｄ及びＰｅ同士が重なるように配置される。なお、投影像内領域Ｐｄ及びＰｅは、放出部投影像３１ｄ及び３１ｅを内包する最小面積の長方形３３ｄ及び３３ｅに含まれる領域である。
【００５７】
なお、表示装置１Ｂの蛍光放出部３０ｄ及び３０ｅは、表示部４０である透過部２０Ａの前面２５に平面的に形成されている。このため、蛍光放出部３０ｄ及び３０ｅを表示部４０に投影してなる像である放出部投影像３１ｄ及び３１ｅは、蛍光放出部３０ｄ及び３０ｅと同視できる。
【００５８】
＜作用＞
図面を参照して表示装置１Ｂの作用を説明する。図６は、表示装置１Ｂの作用を説明する図である。図６（Ａ）は光源１０が点灯されていない状態、図６（Ｂ）は光源１０ａが点灯された状態、図６（Ｃ）は光源１０ｂが点灯された状態をそれぞれ示す図である。
【００５９】
図６（Ａ）に示すように、光源１０が点灯されていない状態では、蛍光放出部３０ｄ及び３０ｅはいずれも発光しないため、表示部４０には透過部２０Ａによる無色透明の背景中に蛍光放出部３０ｄ及び３０ｅの形状がかすかに見えるだけである。
【００６０】
これに対し、図６（Ｂ）に示すように光源１０ａが点灯されて光源１０ａから一次光１５ａが放出されると、一次光１５ａを吸収した蛍光放出部３０ｄが発光する。このため、表示部４０には透過部２０Ａによる無色透明の背景中に青色の「ＢＬＵＥ」という蛍光表示像３６ｄが表示される。
【００６１】
また、図６（Ｃ）に示すように光源１０ｂが点灯されて光源１０ｂから一次光１５ｂが放出されると、一次光１５ｂを吸収した蛍光放出部３０ｅが発光する。このため、表示部４０には透過部２０Ａによる無色透明の背景中に赤色の「ＲＥＤ」という蛍光表示像３６ｅが表示される。
【００６２】
このように、表示装置１Ｂは、光源１０の点灯を切り替えることで、同一表示部４０内に形状と色の異なる蛍光表示像３６の表示が可能である。具体的には、表示部４０内に、青色の「ＢＬＵＥ」という蛍光表示像３６ｄと、赤色の「ＲＥＤ」という蛍光表示像３６ｅとを表示させることができる。
【００６３】
（第３の実施形態）
図７は、第３の実施形態に係る表示装置１Ｃ及びその作用を説明する図である。図７（Ａ）は光源１０が点灯されていない状態、図７（Ｂ）は光源１０ａが点灯された状態、図７（Ｃ）は光源１０ｂが点灯された状態、図７（Ｄ）は光源１０ｃが点灯された状態をそれぞれ示す図である。
【００６４】
第３の実施形態に係る表示装置１Ｃは、図１に示す第１の実施形態に係る表示装置１Ａにおいて、光源１０ｃを追加するとともに、蛍光表示部材５０Ａに代えて蛍光表示部材５０Ｃを用いたものである。蛍光表示部材５０Ｃは、蛍光表示部材５０Ａにおいて、蛍光放出部３０ｃをさらに加えたものである。図示しないが、光源１０ｃは、光源１０ａ、１０ｂと同様に、透過部本体２１Ａの一側面２２ａに対向するように配置されている。表示装置１Ｃは光源１０ｃ及び蛍光放出部３０ｃ以外は表示装置１Ａと同じであるため、両者の同じ部材に同じ符号を付し、適宜構成及び作用の説明を省略する。なお、図７は、光源１０ａ、１０ｂ及び１０ｃが１個ずつ配置された一例を示すものであり、実際には光源１０ａ、１０ｂ及び１０ｃはそれぞれ複数個配置されていてもよい。
【００６５】
光源１０ｃは、光源１０ａ及び１０ｂと波長の異なる一次光を放出するものである限り、発光素子の種類は限定されない。このように表示装置１Ｃでは、光源１０ａ、１０ｂ及び１０ｃとして、３つの波長の異なる一次光１５を放出する３種類の光源を有する。光源の種類をこのような３種類とすることにより、３色表示を行うことができる。
【００６６】
具体的には、光源１０ａ、１０ｂ及び１０ｃは、上記第１〜第４の波長領域のうちの３種類の波長領域に発光ピーク波長を有する一次光を放出する３種類の光源を選ぶことが好ましい。例えば、光源１０ａ、１０ｂ及び１０ｃとして、それぞれ、第２、第３及び第４の波長領域に発光ピーク波長を有する一次光を放出する３種類の光源を用いることが好ましい。光源１０の種類をこのような３種類とすることにより、３色表示を確実に行うことができる。
【００６７】
なお、光源１０を３種類選ぶ場合、第１〜第３の波長領域のうちの３種類の波長領域に発光ピーク波長を有する一次光を放出する３種類の光源として選んだものであることが好ましい。第１〜第３の波長領域に発光ピーク波長を有する一次光で励起される蛍光体は白色のものが多いため、上記光源と白色の蛍光体とを用いると非発光時の表示部２５を白地の表示にすることができる。
【００６８】
光源１０は、３００〜４１０ｎｍの中から３つの波長の異なる一次光１５を放出する３種類の光源を有することが好ましい。３００〜４１０ｎｍの波長領域に発光ピーク波長を有する一次光で励起される蛍光体は白色のものが多いため、非発光時の表示部２５を白地の表示にすることができる。
【００６９】
蛍光放出部３０ｃは、光源１０ｃから放出された一次光１５ｃを吸収して緑色の二次光を放出する蛍光体と封止樹脂とを用いて平面的な三角形状に形成される。このような表示装置１Ｃは、光源１０ａ、１０ｂ又は１０ｃの点灯の選択により、蛍光放出部３０ａの青色のリング状、蛍光放出部３０ｂの赤色のＸ状、又は蛍光放出部３０ｃの緑色の三角形状の二次光の表示を、表示部４０に表示できるようになっている。また、図示しないが、蛍光放出部３０ａ、３０ｂ及び３０ｃの配置は、蛍光放出部３０ａ、３０ｂ及び３０ｃを表示部４０の法線方向に沿って表示部４０に投影してなる放出部投影像から作成される投影像内領域同士が重なるように配置される。
【００７０】
このように蛍光放出部３０の発光色が赤色、青色、及び緑色の３色であると、表示装置の用途の拡大やニーズへの対応が容易になる。なお、蛍光放出部３０ｃが平面的な三角形状であり緑色の二次光を放出するのは、一例であり、他の形状や他の色の二次光を放出するようにすることが可能である。
【００７１】
（蛍光放出部に用いられる蛍光体）
複数種類の蛍光放出部３０ａ、３０ｂ、３０ｃを構成する蛍光体としては、第１の実施形態に係る表示装置１Ａと同様のものが用いられる。
【００７２】
なお、蛍光放出部３０ａ、３０ｂ、３０ｃ用に蛍光体を３種類選ぶ場合、第１〜第３の波長領域のうちの３種類の波長領域内の波長の光のみで励起される蛍光体を用いることが好ましい。第１〜第３の波長領域内の波長の光のみで励起される蛍光体は白色のものが多いため、これらの蛍光体を用いると非発光時の表示部２５を白地の表示にすることができる。
【００７３】
また、蛍光放出部３０ａ、３０ｂ、３０ｃ用に蛍光体を３種類選ぶ場合、第１〜第３の波長領域のうちでも３００〜４１０ｎｍから選ばれる３種類の波長領域内の波長の光のみで励起される蛍光体を用いることが好ましい。３００〜４１０ｎｍから選ばれる波長領域内の波長の光のみで励起される蛍光体は白色のものが多いため、これらの蛍光体を用いると非発光時の表示部２５を白地の表示にすることができる。
【００７４】
＜作用＞
図７を参照して表示装置１Ｃの作用を説明する。
【００７５】
図７（Ａ）に示すように、光源１０が点灯されていない状態では、蛍光放出部３０ａ、３０ｂ及び３０ｃはいずれも発光しないため、表示部４０には透過部２０Ａによる無色透明の背景中に蛍光放出部３０ａ、３０ｂ及び３０ｃの形状がかすかに見えるだけである。
【００７６】
これに対し、図７（Ｂ）に示すように光源１０ａが点灯されて光源１０ａから一次光１５ａが放出されると、一次光１５ａを吸収した蛍光放出部３０ａが発光する。このため、表示部４０には透過部２０Ａによる無色透明の背景中に青色のリング状の蛍光表示像３６ａが表示される。
【００７７】
また、図７（Ｃ）に示すように光源１０ｂが点灯されて光源１０ｂから一次光１５ｂが放出されると、一次光１５ｂを吸収した蛍光放出部３０ｂが発光する。このため、表示部４０には透過部２０Ａによる無色透明の背景中に赤色のＸ状の蛍光表示像３６ｂが表示される。
【００７８】
さらに、図７（Ｄ）に示すように光源１０ｃが点灯されて光源１０ｃから一次光１５ｃが放出されると、一次光１５ｃを吸収した蛍光放出部３０ｃが発光する。このため、表示部４０には透過部２０Ａによる無色透明の背景中に緑色の三角形状の蛍光表示像３６ｃが表示される。
【００７９】
このように、表示装置１Ｃは、光源１０の点灯を切り替えることで、同一表示部４０内に形状と色の異なる蛍光表示像３６の表示が可能である。具体的には、表示部４０内に、青色のリング状の蛍光表示像３６ａと、赤色のＸ状の蛍光表示像３６ｂと、緑色の三角形状の蛍光表示像３６ｃとを表示させることができる。
【００８０】
（第４の実施形態）
図８は、第４の実施形態に係る表示装置１Ｄの概略図である。
第４の実施形態に係る表示装置１Ｄは、図１に示す第１の実施形態に係る表示装置１Ａにおいて、平面状の蛍光放出部３０ａ及び３０ｂを含む蛍光表示部材５０Ａに代えて、立体的な蛍光放出部３０ｆ及び３０ｇを含む蛍光表示部材５０Ｄを用いたものである。蛍光表示部材５０Ｄでは、立体的な蛍光放出部３０ｆ及び３０ｇは、蛍光表示部材５０Ｄの透過部２０Ｄの内部に埋め込まれている。表示装置１Ｄは蛍光表示部材５０Ｄ、透過部２０Ｄ、蛍光放出部３０ｆ及び３０ｇ以外は表示装置１Ａと同じであるため、両者の同じ部材に同じ符号を付し、適宜構成及び作用の説明を省略する。
【００８１】
蛍光放出部３０ｆは、図１に示す第１の実施形態に係る表示装置１Ａの蛍光放出部３０ａを表示部４０の法線方向に沿って厚みを持たせることにより三次元的に形成したものである。蛍光放出部３０ｆは、例えば、蛍光体を三次元的に配置して封止樹脂で封止することにより形成される。
【００８２】
また、蛍光放出部３０ｇは、図１に示す第１の実施形態に係る表示装置１Ａの蛍光放出部３０ｂを表示部４０の法線方向に沿って厚みを持たせることにより三次元的に形成したものである。蛍光放出部３０ｇは、例えば、蛍光放出部３０ｆと同様にして形成される。
【００８３】
蛍光放出部３０ｆ及び３０ｇは、共に透過部２０Ｄの内部に埋め込まれている。このため、蛍光放出部３０ｆ及び３０ｇは、それぞれ透過部２０Ｄの内部に三次元的に形成されたものになっている。
【００８４】
また、図示しないが、蛍光放出部３０ｆ及び３０ｇの配置は、蛍光放出部３０ｆ及び３０ｇを表示部４０の法線方向に沿って透過部２０Ｄの前面２５である表示部４０に投影してなる放出部投影像から作成される投影像内領域同士が重なるように配置される。
【００８５】
上記構成からなる表示装置１Ｄは、光源１０ａ又は１０ｂの点灯の選択により、蛍光放出部３０ｆの青色のリング状又は蛍光放出部３０ｇの赤色のＸ状の三次元的な二次光からなる蛍光表示像を、表示部４０を介して表示できるようになっている。
【００８６】
＜作用＞
表示装置１Ｄの作用は、蛍光放出部３０ａ及び３０ｂから放出される二次光が平面的であることに代えて、蛍光放出部３０ｆ及び３０ｇから放出される二次光が三次元的であること以外は、第１の実施形態に係る表示装置１Ａと同様である。このため、表示装置１Ｄの作用についての詳細な説明を省略する。
【００８７】
なお、従来技術として、多色のＬＥＤを三次元的に配置することが知られている。しかし、ＬＥＤを三次元的に配置する場合は、配線や基板の制約により複雑な三次元形状にすることが困難である。これに対し、表示装置１Ｄは、配線や基板の制約がないため、蛍光放出部３０を複雑な三次元形状にすることができる。
【００８８】
（第５の実施形態）
図９は、第５の実施形態に係る表示装置１Ｅの概略図である。
第５の実施形態に係る表示装置１Ｅは、図１に示す第１の実施形態に係る表示装置１Ａにおいて、蛍光表示部材５０Ａの透過部２０Ａの前面２５に、紫外線吸収層６０をさらに設けたものである。表示装置１Ｅは紫外線吸収層６０以外は表示装置１Ａと同じであるため、両者の同じ部材に同じ符号を付し、適宜構成及び作用の説明を省略する。
【００８９】
紫外線吸収層６０は、紫外線吸収剤を含む層であり、透過部２０Ａの前面２５である表示部４０を被覆するように設けられる。紫外線吸収層６０は、蛍光放出部３０から放出される二次光に含まれる紫外線を吸収し、表示部４０を視認する視認者の目への紫外線の到達量を減少させることにより、視認者の目を紫外線の悪影響から保護するものである。
【００９０】
紫外線吸収層６０としては、例えば、紫外線吸収剤を含むインクを乾燥させてなる板状体や、紫外線吸収剤を含むポリエステルフィルム等の透明樹脂フィルムが用いられる。紫外線吸収層６０に用いられる紫外線吸収剤としては、公知の材料を用いることができる。紫外線吸収剤としては、例えば、２−エチルヘキシル−４−メトキシシンナメート、３−（４−メチレンジリデン）カンフル、２−エチルヘキシル−４−ジメチルアミノベンゾエート、３，３，５−トリメチルシクロヘキシルサリチル酸エステル、２−フェニルベンズイミダゾール−５−スルホン酸及び４−アミノ安息香酸からなる群より選ばれる１種以上が用いられる。
【００９１】
表示装置１Ｅにおいて、紫外線吸収層６０は、蛍光表示部材５０Ａの透過部２０Ａの前面２５を被覆するように設けられる。紫外線吸収層６０を、透過部２０Ａの前面２５を被覆するように設ける方法としては、例えば、透過部２０Ａの前面２５の表面に紫外線吸収剤を含むインクを乾燥させる方法が用いられる。また、同方法としては、例えば、紫外線吸収剤を含むポリエステルフィルム等の透明樹脂フィルムを貼付等で固定したりする方法も用いられる。このうち、紫外線吸収剤を含む透明樹脂フィルムを固定する方法を用いると、紫外線吸収層６０の取り外し及び蛍光表示部材５０Ａの交換が容易になる。
【００９２】
＜作用＞
表示装置１Ｅの作用は、蛍光放出部３０ａ及び３０ｂから放出される二次光中に含まれる紫外線が紫外線吸収層６０で吸収されること以外は、第１の実施形態に係る表示装置１Ａと同様である。このため、表示装置１Ｅの作用についての詳細な説明を省略する。
【００９３】
（第６の実施形態）
図１０は、第６の実施形態に係る表示装置１Ｆの概略図である。図１１は、第６の実施形態に係る表示装置１Ｆの構造を示す概略図である。
【００９４】
第６の実施形態に係る表示装置１Ｆは、図９に示す第５の実施形態に係る表示装置１Ｅにおいて、平面状の蛍光放出部３０ａ及び３０ｂを含む蛍光表示部材５０Ａに代えて、立体的な蛍光放出部３０ｆ及び３０ｇを含む蛍光表示部材５０Ｄを用いたものである。表示装置１Ｆは、蛍光放出部３０ｆ及び３０ｇ以外は表示装置１Ｅと同じであるため、両者の同じ部材に同じ符号を付し、構成及び作用の説明を省略する。
【００９５】
なお、図１１に示すように、表示装置１Ｆにおいて、紫外線吸収層６０は、蛍光表示部材５０Ｄの透過部２０Ｄに着脱可能に設けられている。このように、紫外線吸収層６０を着脱可能にするには、例えば、紫外線吸収層６０を、紫外線吸収剤を含むポリエステルフィルム等の透明樹脂フィルムとする方法が挙げられる。
【００９６】
＜作用＞
表示装置１Ｆの作用は、蛍光放出部３０ａ及び３０ｂから放出される二次光が平面的であることに代えて、蛍光放出部３０ｆ及び３０ｇから放出される二次光が三次元的であること以外は、第５の実施形態に係る表示装置１Ｅと同様である。また、表示装置１Ｆは、紫外線吸収層６０が蛍光表示部材５０Ｄの透過部２０Ｄに着脱可能に設けられているため、蛍光表示部材５０Ｄ及び紫外線吸収層６０の交換が容易である。なお、蛍光表示部材５０Ｄは、蛍光放出部３０ｆ及び３０ｇと異なる蛍光放出部３０を含む他の形態の蛍光表示部材５０と交換してもよい。この場合は、蛍光表示部材５０Ｄを交換するだけで、表示部４０の表示を簡単に変えることができる。
【００９７】
（第７の実施形態）
図１２は、第７の実施形態に係る表示装置１Ｇの概略図である。図１３は、第７の実施形態に係る表示装置１Ｇの蛍光表示部材５０Ｇの概略図である。図１３（Ａ）は、蛍光表示部材５０Ｇの表示部側を示す図であり、図１３（Ｂ）は、蛍光表示部材５０Ｇの背面側を示す図である。
【００９８】
第７の実施形態に係る表示装置１Ｇは、図１に示す第１の実施形態に係る表示装置１Ａにおいて、透過部２０Ａに代えて、入射する光を拡散する透過部２０Ｇを用いたものである。ここで、入射する光とは、光源１０から放出される一次光１５及び可視光線の１種以上を意味し、透過部２０Ｇでは一次光１５及び可視光線の１種以上が拡散される。蛍光表示部材５０Ｇは、蛍光表示部材５０Ａの透過部２０Ａを、透過部２０Ｇに代えたものである。表示装置１Ｇは、透過部２０Ｇ以外は表示装置１Ａと実質的に同じであるため、両者の同じ部材に同じ符号を付し、適宜構成及び作用の説明を省略する。
【００９９】
入射する光を拡散する透過部２０Ｇは、透過部２０Ａの透過部本体２１Ａが透過材料に加えて光を拡散する拡散材をさらに含むものである。ここで、光を拡散する拡散材としては、例えば、無機材料又は有機材料からなる粒状物が用いられる。粒状物を構成する無機材料としては、例えば、アルミナ、シリカ、ガラスが用いられる。また、粒状物を構成する有機材料としては、例えば、ポリスチレン、アクリル樹脂が用いられる。拡散材の粒径、及び透過材料中の拡散材の分散量は、光源１０から放出される一次光１５及び可視光線の１種以上を拡散可能なように適宜定める。
【０１００】
透過部２０Ｇは拡散材が全体的に分散して透過部本体２１Ｇが乳白色又は白色になっている。このため、図１３（Ａ）及び（Ｂ）に示すように、蛍光表示部材５０Ｇの表示部４０側は蛍光放出部３０ａ及び３０ｂ以外の部分が乳白色又は白色であり、蛍光表示部材５０Ｇの背面２３側は全体が乳白色又は白色になっている。
【０１０１】
＜作用＞
表示装置１Ｇの作用は、透過部２０Ｇが透過部２０Ｇに入射する光を拡散すること以外は、第１の実施形態に係る表示装置１Ａと同様である。このため、表示装置１Ｇの作用についての説明を適宜省略する。
【０１０２】
表示装置１Ｇは、光源１０が点灯されていない状態では蛍光放出部３０ａ及び３０ｂがいずれも発光しない。この点において表示装置１Ｇは表示装置１Ａと同じ作用を示す。しかし、表示装置１Ｇの透過部２０Ｇは、表示装置１Ａの透過部２０Ａと異なり、透過部２０Ｇに入射する光を拡散する。このため、光源１０が点灯されていない状態では透過部２０Ｇの前面２５である表示部４０は蛍光放出部３０ａ及び３０ｂ以外の部分が白色又は乳白色となる。このように、表示装置１Ｇでは、光源１０が点灯されていない状態で表示部４０の蛍光放出部３０ａ及び３０ｂ以外の部分が白色又は乳白色であるため、蛍光放出部３０ａ及び３０ｂが目立たなくなる。
【０１０３】
なお、蛍光放出部３０の形成に用いられる蛍光体は、蛍光体自体の色が白いものが多いため、このような蛍光体を用いると光源１０の非点灯時に表示部４０全面を乳白色又は白色にすることができる。蛍光体自体の色が白い蛍光体としては、上記のとおり、例えば、第１〜第３の波長領域内の波長の光のみで励起される蛍光体、特に３００〜４１０ｎｍの波長領域内の波長の光のみで励起される蛍光体が用いられる。
【０１０４】
次に、光源１０ａが点灯されて光源１０ａから一次光１５ａが放出されると、一次光１５ａを吸収した蛍光放出部３０ａが発光するため、表示部４０には透過部２０Ｇによる白色又は乳白色の背景中に青色のリング状の蛍光表示像が表示される。
【０１０５】
また、光源１０ｂが点灯されて光源１０ｂから一次光１５ｂが放出されると、一次光１５ｂを吸収した蛍光放出部３０ｂが発光するため、表示部４０には透過部２０Ｇによる白色又は乳白色の背景中に赤色のＸ状の蛍光表示像が表示される。
【０１０６】
このように、表示装置１Ｇによれば、光源１０の非点灯時に蛍光放出部３０ａ及び３０ｂ以外の部分が白色又は乳白色であるため、非点灯時の蛍光放出部３０ａ及び３０ｂが目立たなくなる。なお、蛍光放出部３０の形成に用いられる蛍光体として、蛍光体自体の色が白いものを用いると光源１０の非点灯時に表示部４０全面を乳白色又は白色にすることができる。また、透過部２０Ｇは紫外線等の一次光１５を拡散又は遮断するため表示部４０を介して視認者に光漏れが生じにくくなる。
【０１０７】
（第８の実施形態）
図１４は、第８の実施形態に係る表示装置の概略図である。
【０１０８】
第８の実施形態に係る表示装置１Ｈは、図１２に示す第７の実施形態に係る表示装置１Ｇにおいて、蛍光放出部３０ａ及び３０ｂに代えてローマ字からなる蛍光放出部３０ｄ及び３０ｅを用いたものであり、これ以外は表示装置１Ｇと実質的に同じである。このため、両者の同じ部材に同じ符号を付し、適宜構成及び作用の説明を省略する。
【０１０９】
透過部２０Ｇは拡散材が全体的に分散して透過部本体２１Ｇが乳白色又は白色になっている。このため、図１４（Ａ）及び（Ｂ）に示すように、蛍光表示部材５０Ｈの表示部４０側は蛍光放出部３０ｄ及び３０ｅ以外の部分が乳白色又は白色であり、蛍光表示部材５０Ｈの背面２３側は全体が乳白色又は白色になっている。
【０１１０】
＜作用＞
表示装置１Ｈの作用は、蛍光放出部３０ａ及び３０ｂの蛍光表示像に代えてローマ字からなる蛍光放出部３０ｄ及び３０ｅの蛍光表示像が表示されること以外は、第７の実施形態に係る表示装置１Ｇと同様である。このため、表示装置１Ｇの作用についての説明を適宜省略する。
【０１１１】
表示装置１Ｈは、光源１０が点灯されていない状態では、表示装置１Ｇと同様に、蛍光放出部３０ｄ及び３０ｅがいずれも発光せず、透過部２０Ｇの前面２５である表示部４０は蛍光放出部３０ｄ及び３０ｅ以外の部分が白色又は乳白色となる。このように、表示装置１Ｈでは、光源１０が点灯されていない状態で表示部４０の蛍光放出部３０ｄ及び３０ｅ以外の部分が白色又は乳白色であるため、非点灯時の蛍光放出部３０ｄ及び３０ｅが目立たなくなる。
【０１１２】
次に、光源１０ａが点灯されて光源１０ａから一次光１５ａが放出されると、一次光１５ａを吸収した蛍光放出部３０ｄが発光するため、表示部４０には透過部２０Ｇによる白色又は乳白色の背景中に青色の「ＢＬＵＥ」という蛍光表示像が表示される。
【０１１３】
また、光源１０ｂが点灯されて光源１０ｂから一次光１５ｂが放出されると、一次光１５ｂを吸収した蛍光放出部３０ｅが発光するため、表示部４０には透過部２０Ｇによる白色又は乳白色の背景中に赤色の「ＲＥＤ」という蛍光表示像が表示される。
【０１１４】
（第９の実施形態）
図１５は、第９の実施形態に係る表示装置１Ｉの概略図である。
【０１１５】
第９の実施形態に係る表示装置１Ｉは、図８に示す第４の実施形態に係る表示装置１Ｄにおいて、透過部２０Ｄに代えて、入射する光を拡散する透過部２０Ｉを用いたものである。蛍光表示部材５０Ｉは、蛍光表示部材５０Ｄの透過部２０Ｄを、透過部２０Ｉに代えたものである。表示装置１Ｉは、透過部２０Ｉ以外は表示装置１Ｄと実質的に同じであるため、両者の同じ部材に同じ符号を付し、適宜構成及び作用の説明を省略する。
【０１１６】
透過部２０Ｉは拡散材が全体的に分散して透過部本体２１Ｉが乳白色又は白色になっており、この透過部本体２１Ｉ中に蛍光放出部３０ｆ及び３０ｇが埋め込まれている。このため、蛍光表示部材５０Ｇの外観は全面が乳白色又は白色になっている。
【０１１７】
＜作用＞
表示装置１Ｉの作用は、透過部２０Ｉが透過部２０Ｉに入射する光を拡散すること以外は、第４の実施形態に係る表示装置１Ｄと同様である。このため、表示装置１Ｉの作用についての説明を適宜省略する。
【０１１８】
表示装置１Ｉは、光源１０が点灯されていない状態では、表示装置１Ｄと同様に、蛍光放出部３０ｆ及び３０ｇがいずれも発光しない。また、透過部本体２１Ｉ中に蛍光放出部３０ｆ及び３０ｇが埋め込まれているため、透過部２０Ｉの前面２５である表示部４０は全体が白色又は乳白色となる。このように、表示装置１Ｉでは、光源１０が点灯されていない状態で表示部４０の全面が白色又は乳白色であるため、非点灯時の蛍光放出部３０ｄ及び３０ｅが目立たなくなる。
【０１１９】
次に、光源１０ａが点灯されて光源１０ａから一次光１５ａが放出されると、一次光１５ａを吸収した蛍光放出部３０ｆが発光する。これにより、表示部４０には透過部２０Ｉによる白色又は乳白色の背景中に青色のリング状の三次元形状の蛍光表示像が表示される。
【０１２０】
また、光源１０ｂが点灯されて光源１０ｂから一次光１５ｂが放出されると、一次光１５ｂを吸収した蛍光放出部３０ｇが発光する。これにより、表示部４０には透過部２０Ｉによる白色又は乳白色の背景中に赤色のＸ状の三次元形状の蛍光表示像が表示される。
【０１２１】
（第１０の実施形態）
図１６は、第１０の実施形態に係る表示装置１Ｊの概略図である。
【０１２２】
第１０の実施形態に係る表示装置１Ｊは、図１及び２に示す第１の実施形態に係る表示装置１Ａにおいて、光源１０を透過部２０Ａの背面２３側に配置するとともに、蛍光表示部材５０Ａに代えて蛍光表示部材５０Ｊを用いたものである。蛍光表示部材５０Ｊは、蛍光表示部材５０Ａの導光板である透過部２０Ａに代えて導光板でない透過部２０Ｊを用いたものである。表示装置１Ｊは、光源１０の配置及び透過部２０Ｊ以外は表示装置１Ａと実質的に同じであるため、両者の同じ部材に同じ符号を付し、構成及び作用の説明を省略する。
【０１２３】
表示装置１Ｊは、光源１０（１０ａ、１０ｂ）が透過部２０Ａの背面２３側に配置される。また、表示装置１Ｊの透過部２０Ｊは、導光板でなく背面２３側に反射ドット等が設けられていない。このため、表示装置１Ｊでは、背面２３側に配置された光源１０の放出する一次光１５が蛍光放出部３０に均一に照射されやすく、この結果、表示部４０の表示に輝度のムラが生じにくくなる。表示装置１Ｊのこの他の作用は、表示装置１Ａと同様である。
【０１２４】
（第１１の実施形態）
図１７は、第１１の実施形態に係る表示装置の概略図である。
【０１２５】
第１１の実施形態に係る表示装置１Ｋは、図８に示す第４の実施形態に係る表示装置１Ｄにおいて、蛍光表示部材５０Ｄに代えて蛍光表示部材５０Ｋを用い、かつ、２個の光源１０の配置を変えたものである。蛍光表示部材５０Ｋは透過部２０Ｋ中に立体的な蛍光放出部３０ｆ及び３０ｇを含み、透過部２０Ｋの表面全体に表示部４０が形成されたものになっている。ここで、蛍光放出部３０ｆ及び３０ｇは、蛍光表示部材５０Ｄで用いられるものと同じである。また、透過部２０Ｋの表面全体とは、前面２５、背面２３、側面２２ａ、２２ｂ、２２ｃ、２２ｄを意味する。表示装置１Ｋでは、２種類の光源１０ａ、１０ｂは、光源１０ａが蛍光放出部３０ｆの前面に向けて一次光を照射し、光源１０ｂが蛍光放出部３０ｇの前面に向けて一次光を照射するように配置される。表示装置１Ｋでは、表示装置１Ｄと同じ部材に同じ符号を付し、構成及び作用の説明を省略する。
【０１２６】
蛍光表示部材５０Ｋは、立体的な蛍光放出部３０ｆ及び３０ｇが、表面全体に表示部４０が形成された透過部２０Ｋ中に含まれる。具体的には、透過部２０Ｋの６個の表面である、前面２５、背面２３、側面２２ａ、２２ｂ、２２ｃ、２２ｄの全てが表示部４０になっている。
【０１２７】
（蛍光放出部の配置）
蛍光表示部材５０Ｋの蛍光放出部３０ｆ及び３０ｇの配置は、表示部４０の表面に設定する任意の法線として透過部２０Ｋの前面２５の表面の法線を選ぶ以外は、第１の実施形態に係る表示装置１Ａの蛍光放出部３０ａ、３０ｂの配置と同様になっている。このため、蛍光表示部材５０Ｋの蛍光放出部３０ｆ及び３０ｇから作成した２個の投影像内領域Ｐは、表示装置１Ａにおける投影像内領域Ｐａ及び投影像内領域Ｐｂと同様に、一部において重なっている。
【０１２８】
＜作用＞
表示装置１Ｋの作用は、光源１０ａ、１０ｂから蛍光放出部３０ｆ、３０ｇの前面へ一次光が照射される点、及び蛍光放出部３０ｆや３０ｇから放出される二次光が透過部２０Ｋの６個の表面からなる表示部４０で観察される点以外は、表示装置１Ｄと同様である。このため、表示装置１Ｋの作用についての説明を一部省略する。
【０１２９】
表示装置１Ｋの具体的な作用は以下のとおりである。はじめに、光源１０ａから蛍光放出部３０ｆの前面へ一次光が照射される場合には、蛍光放出部３０ｆが青色のリング状の三次元的な二次光を放出する。また、光源１０ｂから蛍光放出部３０ｇの前面へ一次光が照射される場合には、蛍光放出部３０ｇが赤色のＸ状の三次元的な二次光を放出する。
【０１３０】
この蛍光放出部３０ｆ又は３０ｇの三次元的な二次光は、透過部２０Ｋの６個の表面からなる表示部４０で観察される。すなわち、蛍光放出部３０ｆ又は３０ｇの三次元的な二次光は、透過部２０Ｋの６個の表面である前面２５、背面２３、側面２２ａ、２２ｂ、２２ｃ、２２ｄの全てからなる表示部４０で観察可能になっている。このため、表示装置１Ｋは、例えば、蛍光放出部３０ｆ及び３０ｇを、建物や立体的な部屋配置図等の複雑な形状に形成することにより、建物や立体的な部屋配置図等の三次元形状の二次光を透過部２０Ｋの全ての表面から観察することが可能になる。
【０１３１】
（第１１の実施形態の変形例）
なお、表示装置１Ｋでは、蛍光放出部３０ｆ及び３０ｇ自体が三次元である。このため、表示装置１Ｋの第1の変形例として、表示装置１Ｋから透過部２０Ｋからなる表示部４０を除去したものとすることも可能である。第1の変形例は、例えば、三次元の模型の全体を蛍光放出部３０ｆ及び３０ｇで作製したり、三次元の模型の一部を蛍光放出部３０ｆ及び３０ｇで作製したりすることにより得られる。第1の変形例は、蛍光放出部３０ｆ及び３０ｇ自体が表示部になる。
【０１３２】
また、表示装置１Ｋから透過部２０Ｋからなる表示部４０を除去した第1の変形例の全体を、紫外線漏れを抑制する透明ケースで覆うことにより、表示装置１Ｋの第２の変形例とすることも可能である。第２の変形例では、透明ケースが表示部となる。
【０１３３】
（第１２の実施形態）
図１８は、第１２の実施形態に係る表示装置の概略図である。図１９は、図１８の表示装置を図１８中のＸ方向からみた側面図である。
【０１３４】
第１２の実施形態に係る表示装置１Ｌは、図１に示す第１の実施形態に係る表示装置１Ａにおいて、蛍光表示部材５０Ａに代えて蛍光表示部材５０Ｌを用いたものである。具体的には、蛍光表示部材５０Ｌは透過部２０Ａ中に、蛍光放出部３０ａ及び３０ｂと同じ蛍光体及び形状からなりかつ両者の境界が明確でない２個の蛍光放出部３０ｌ及び３０ｍを含むものである。蛍光放出部３０ｌは、光源１０ａの一次光の照射により青色の平面的なリング状の二次光を放出し、蛍光放出部３０ｍは、光源１０ｂの一次光の照射により赤色の平面的なＸ状の二次光を放出するものである。
【０１３５】
図１９に示すように、２個の蛍光放出部３０ｌと３０ｍとの境界は明確でない。具体的には、蛍光放出部３０ｌと３０ｍとの境界は、蛍光放出部３０ｌを形成する蛍光体と蛍光放出部３０ｍを形成する蛍光体とを含み、蛍光放出部３０ｌと３０ｍの両者の性質を有する部分になっている。蛍光放出部３０ｌ及び３０ｍは、例えば、蛍光放出部３０ｌの作製用の蛍光体を含む封止樹脂と、蛍光放出部３０ｍの作製用の蛍光体を含む封止樹脂とを、封止樹脂が乾燥する前に接触させ、乾燥させることにより形成される。
【０１３６】
＜作用＞
表示装置１Ｌの作用は、蛍光放出部３０ｌと３０ｍとの境界における二次光の輪郭が、第１の実施形態に係る表示装置１Ａの蛍光放出部３０ａと３０ｂとの境界における二次光の輪郭ほど明瞭でないこと以外は、第１の実施形態に係る表示装置１Ａと同様である。このため、表示装置１Ｌの作用についての詳細な説明を省略する。
【０１３７】
なお、表示装置１Ｌは蛍光放出部３０ｌと３０ｍとの境界が明瞭でないことから、蛍光放出部３０ｌと３０ｍとが剥離し難いため、表示装置１Ａに比較して蛍光放出部３０の耐久性が向上する。また、表示装置１Ｌは、蛍光放出部３０ｌに連続して蛍光放出部３０ｍを作製することができるため、蛍光放出部３０ｌ及び３０ｍの作製が容易である。
【０１３８】
なお、上記の第１〜第１２の実施形態に係る表示装置１Ａ〜１Ｌは、可能な範囲内でそれぞれの特徴を組み合わせて新たな実施形態とすることができる。この場合、新たな実施形態の奏する発明の効果は、それぞれの実施形態の奏する発明の効果の総和となる。
【０１３９】
また、上記の第１〜第１２の実施形態に係る表示装置１Ａ〜１Ｌは、光源１０と蛍光表示部材５０との間に波長カットフィルターを備えるようにしてもよい。波長カットフィルターを用いると、複数種類の蛍光放出部３０を構成する蛍光体が、複数種類の光源１０から放出される複数種類の一次光１５で同時に励起されて、いわゆる模様ぼけが生じることを抑制することができる。
【０１４０】
波長カットフィルターは、一次光１５に含まれる光のうち、蛍光放出部３０を構成する蛍光体の励起に不要な波長領域の光を遮断するものであると、いわゆる模様ぼけがより生じにくくなるため、好ましい。
【０１４１】
また、上記の第１〜第９及び第１２の実施形態に係る表示装置１Ａ〜１Ｉ及び１Ｌは、透過部２０を導光板構造としたが、蛍光放出部３０に一次光１５を導くことができるものである限り、導光板に代えて他の構造にすることができる。
【０１４２】
また、上記の第１〜第３、第５、第７、第８、第１０及び第１２の実施形態に係る表示装置１Ａ〜１Ｃ、１Ｅ、１Ｇ、１Ｈ、１Ｊ及び１Ｌは、蛍光放出部３０が表示部４０である透過部２０の表面に形成されている。しかし、表示装置１Ａ〜１Ｃ、１Ｅ、１Ｇ、１Ｈ、１Ｊ及び１Ｌは、蛍光放出部３０が透過部２０の内部に平面的に形成されたものであってもよい。
【０１４３】
また、上記の第４、第６及び第９の実施形態に係る表示装置１Ｄ、１Ｆ及び１Ｉは、蛍光放出部３０が透過部２０の内部に三次元的に形成されている。しかし、表示装置１Ｄ、１Ｆ及び１Ｉは、蛍光放出部３０が表示部４０である透過部２０の表面に形成されたものであってもよい。
【０１４４】
上記のように、本実施形態の表示装置は、面積の小さい表示部内で、多数の蛍光放出部を発光させることができるため、例えば、自動車用に広く利用することができる。また、第１１の実施形態に係る表示装置１Ｋは、特に、建物や立体的な部屋配置図等を示す土木建築用に広く利用することができる。
【０１４５】
以上、本実施形態を実施例によって説明したが、本実施形態はこれらに限定されるものではなく、本実施形態の要旨の範囲内で種々の変形が可能である。
【符号の説明】
【０１４６】
１、１Ａ、１Ｂ、１Ｃ、１Ｄ、１Ｅ、１Ｆ、１Ｇ、１Ｈ、１Ｉ、１Ｊ、１Ｋ、１Ｌ  表示装置
１０、１０ａ、１０ｂ、１０ｃ  光源
１５、１５ａ、１５ｂ、１５ｃ  一次光
２０、２０Ａ、２０Ｄ、２０Ｇ、２０Ｉ、２０Ｋ  透過部
２２、２２ａ、２２ｂ、２２ｃ、２２ｄ  透過部の側面
２３  透過部の背面
２５  透過部の前面
３０、３０ａ、３０ｂ、３０ｃ、３０ｄ、３０ｅ、３０ｆ、３０ｇ  蛍光放出部
３１、３１ａ、３１ｂ、３１ｃ、３１ｄ、３１ｅ  放出部投影像
３３、３３ａ、３３ｂ、３３ｃ、３３ｄ、３３ｅ  蛍光放出部を含む最小面積の長方形
３５  二次光
３６、３６ａ、３６ｂ、３６ｃ、３６ｄ、３６ｅ  蛍光表示像
４０  表示部
５０、５０Ａ、５０Ｂ、５０Ｃ、５０Ｄ、５０Ｇ、５０Ｈ、５０Ｉ、５０Ｊ、５０Ｋ、５０Ｌ  蛍光表示部材
Ｐ、Ｐａ、Ｐｂ、Ｐｃ、Ｐｄ、Ｐｅ  投影像内領域
【図１】
2016057568.tif 000003
【図２】
2016057568.tif 000004
【図３】
2016057568.tif 000005
【図４】
2016057568.tif 000006
【図５】
2016057568.tif 000007
【図６】
2016057568.tif 000008
【図７】
2016057568.tif 000009
【図８】
2016057568.tif 000010
【図９】
2016057568.tif 000011
【図１０】
2016057568.tif 000012
【図１１】
2016057568.tif 000013
【図１２】
2016057568.tif 000014
【図１３】
2016057568.tif 000015
【図１４】
2016057568.tif 000016
【図１５】
2016057568.tif 000017
【図１６】
2016057568.tif 000018
【図１７】
2016057568.tif 000019
【図１８】
2016057568.tif 000020
【図１９】
2016057568.tif 000021